【事件の表示】
　特願２００４−２６２２０５「インクジェット式記録装置」拒絶査定不服審判事件〔平成１６年１２月　２日出願公開、特開２００４−３３８４１８〕について、次のとおり審決する。
【結　論】
　本件審判の請求は、成り立たない。
【理　由】
１　手続の経緯・本願発明
（１）手続の経緯
　本願は、平成１０年６月３日に出願した特願平１０−１５４８４９号の一部を平成１６年９月９日に新たな特許出願としたものであって、平成１８年６月１２日付けで手続補正がなされ、平成２０年５月１６日付けで拒絶査定がなされ、これに対して、同年６月２０日に拒絶査定不服審判が請求されたものである。
　
（２）本願発明
　本願の請求項１に係る発明は、平成１８年６月１２日付け手続補正によって補正された明細書、特許請求の範囲及び図面の記載からみて、その特許請求の範囲の請求項１に記載された事項によって特定される次のとおりのものである。
　
「印刷データに対応してインク滴を吐出するインクジェット式記録ヘッドと、前記記録ヘッドを封止すると共に、ポンプユニットからの負圧を受けて記録ヘッドよりインクを吸引するキャッピング手段とを備えたインクジェット式記録装置であって、
　前記ポンプユニットには、チューブの外形を円弧状に規制するチューブ支持面を有するポンプフレームと、駆動手段からの駆動力によって回転するポンプホイールと、前記ポンプホイールの回転軸心側の第１位置と回転軸心から離れた第２位置との間で移動可能となるようにポンプホイールに支持されたローラと、前記チューブ支持面に沿って配置されたチューブとが具備され、
　前記ローラが前記チューブに沿って転動することにより該チューブをしごいて変形させることでチューブポンプとしての作用がなされるように構成され、
　前記チューブの側壁には長手方向に線状のマ−キングが付され、該チューブがねじれた状態で前記ポンプフレームに組み付けられたかどうかを判別可能に構成されていることを特徴とするインクジェット式記録装置。」（以下「本願発明」という。）
　
２　刊行物の記載事項
　原査定の拒絶の理由に引用された「本願の出願前に頒布された刊行物である特開平８−３１８６２４号公報（以下「引用例」という。）」には、図とともに次の事項が記載されている。（下線は審決で付した。）
（１）「【請求項１】  
インクジェット式記録ヘッドを搭載したキャリッジと、前記記録ヘッドのノズル開口を封止するキャピンング手段と、
前記キャッピング手段に負圧を供給するポンプユニットとを備え、前記ポンプユニットがチューブの外形をほぼ半円形に規制するチューブ支持面を有するポンプフレームと、駆動手段からの動力により回動するポンプホイールと、該ポンプホイールに回転可能に設けられ、吸引動作時には前記ポンプホイールの回転中心に対称に位置して前記フレーム内のチューブを扱く２つのプーリとから構成されているインクジェット式記録装置
前記ポンプフレーム内における前記チューブと前記プーリとの最大接触領域が１８０度未満、望ましくは１７３度に設定され、また前記チューブ支持面と対向する位置に前記プーリに当接する弾性部材からなるダンパシートが前記ポンプフレームに固定され、さらに前記チューブの少なくとも一半が、前記チューブ支持面から離れる位置で直角に曲げられ、前記ポンプフレームに形成した溝に固定されているインクジェット式記録装置。
【請求項２】  前記フレームが給紙ローラを駆動するモータを固定する基台の一方の面に取り付けられ、前記ポンプホールが前記モータの輪列と切換え手段を介して選択的に接続される請求項１のインクジェット式記録装置。
【請求項３】  前記切換え手段が、キャリッジによりスライドされる複合歯車として構成されている請求項２のインクジェット式記録装置。
【請求項４】  
前記ポンプホイールが、
る２本の溝を有していて、前記プーリが前記溝に移動可能に設けられ
【請求項５】  前記ポンプホイールは、摩擦クラッチ手段を介して前記クリーニングユニットに係合して、前記プーリを前記溝を移動させる範囲で前記クリーニングユニットを前記記録ヘッドに接離させる請求項１のインクジェット式記録装置。」
　
（２）「【０００１】
【産業上の利用分野】本発明は、
記録用紙の幅方向に移動するインクジェット式記録ヘッドを有し、印刷デ−タに一致させてインク滴を記録用紙に噴射してドットを形成するインクジェット式プリンタ
【０００２】
【従来の技術】圧力発生室で加圧したインクをノズルからインク滴として記録用紙に吐出させて印刷デ−タを記録するオンデマンド型インクジェット式記録装置は、ノズル開口からのインク溶剤の蒸発による粘度の上昇や、インクの乾燥、塵埃の付着、さらには気泡の混入などにより印刷不良を生じるという問題を抱いている。このため、インクジェット式記録装置は、非印刷時にノズル開口を封止するためのキャッピング装置を備えている。この
キャッピング手段は、
ノズル開口に吸引ポンプからの負圧を作用させる封止手段として機能する
吸引ポンプは、
チューブポンプ
【０００３】
【発明が解決しようとする課題】しかしながら、チューブポンプは、
回動中心を対称点とする２つのプーリでチューブを扱く
【０００４】もとりこのような問題を解消するためにプーリの径を小さくすることも考えられるが、チューブとの摩擦が大きくなってスムーズな駆動が不可能になり、また同時にチューブを細くすることも考えられるが、吸引能力が低下するため、高速駆動が必要になる等様々な問題を招く。
【０００５】また、プリンタ全体の構造の簡素化を図るため、吸引動作実行中に休止状態におかれている紙送り機構を駆動するモータを、チューブポンプの駆動手段として兼用する場合には、軸方向に移動する歯車からなる切換え機構を必要とするが、小型化にともなって歯車も小さくなるため、スムーズな切換えが困難であるという問題がある。
【０００６】本発明は、このような問題に鑑みてなされたものであって、その目的とするところは、負荷トルク変動を可及的に小さくしつつ、小型化を図ることができるインクジェット式プリンタに適したチューブポンプを提供することである。また本発明の他の目的は、１つのモータからの動力を兼用する場合にも動力伝達の切換えをスムーズに行うことができるインクジェット式プリンタに適したチューブポンプを提供することである。」
　
（３）「【０００９】
【実施例】そこで以下に本発明の詳細を図示した実施例に基づいて説明する。図１は、本発明のキャッピング装置が適用されるインクジェット式記録装置の印刷機構周辺の概要を示すものであって、図中符号１はキャリッジで、ガイド部材２に支持されるとともに、タイミングベルト３を介してパルスモータ４に接続されていて、プラテン５に平行に往復動できるように構成されている。
【００１０】キャリッジ１には記録用紙６にノズル開口を向けるようにして記録ヘッド７が搭載され、記録ヘッド７の上部にはインクカートリッジ８が着脱可能に搭載されている。
【００１１】１０は紙送りモータで、図示しない紙送りローラと、後述するポンプユニット１２と、クリニーング装置１３とを切換え駆動するもので、キャリッジ１の移動により作動する切換えレバーを介して紙送りローラとポンプユニット１２とに選択的に接続するようになっている。
【００１２】１４は、非印字領域近傍に設けられたキャッピング装置で、キャリッジ１の移動に連動して記録ヘッド７のノズル開口面を封止するともに、前述のポンプユニット１２を構成するチューブ２２に接続されていて、インクカートリッジ８が交換された場合に行う記録ヘッド７へのインクの充填操作時や、ノズル開口が目詰まりを起こした場合に行うインク滴吐出能力回復操作時にポンプユニット１２の負圧を受けて記録ヘッド７から強制的にインクを吐出させるものである。
【００１３】図２、図３、図４は、それぞれ本発明が特徴とするポンプユニットを、その周辺に配置される機構を含めて示すもので、図中符号２０は、紙送りモータ１０及び輪列を収容する基体で、前述のポンプユニット１２やクリーニングユニット１３が作り付けられている。
【００１４】図中符号２１は、ポンプフレームで、チューブポンプを構成するチューブ２２の中央部をほぼ半円形状で形成するように支持するチューブ支持面２３と、この支持面２３の端部に形成されてチューブ２２を支持面２３の接線に一致するように水平に引き出す下部の引出し口２５と、やはりチューブ２２の他半を支持面２３の接線に一致するように引き出す上部の引出し口２６と（図５）、この引出し口２６から突出したチューブ２２を出口近傍で水平方向に直角に曲げ、さらにその先を下方にほぼ直角に曲げて外側を回って後側に引き出す溝２７とを形成するとともに、基台２０の凹部２９に固定するための爪３０を形成して構成されている。そして
チューブ２２は、
チューブ支持面２３との間で空間３４
を形成するように
固定されている
【００１５】ところで、本発明においてはポンプ作用時にモータ１０に掛かる負荷トルクを可及的に一定とするために、後述するようにプーリ３１、３２の押し潰し領域の中心角θ１（図７）が、最大限１８０度、この実施例では１７３度となるように、チューブ支持面２３の形状、及び引出し口２５、２６の位置が選択されている。
【００１６】また、支持面２３と対向していてデッドスペースとなる領域３３には（図５）、ゴム等の弾性板材により構成された２つのダンパシート３５、３６がその先端をプーリ３１、３２の軌跡３７上に位置させて、かつ放射状となるようにその他端をポンプフレーム２１の溝３８、３９に嵌装して取り付けられている。このようにデッドスペースとなる領域３３にダンパシート３５、３６を設けることにより、ポンプ全体のサイズを小さくすることが可能となる。
【００１７】３８は、ポンプホイールで、外周に後述する切換え歯車の一方と係合する円筒外歯車として構成されており、
ポンプフレーム２１に対向する面４０にはチューブ２２を圧縮する２個のプーリ３１、３２の回転軸３１ａ、３２ａを支持するプーリ支持溝４１、４２
【００１８】一方、
プーリ支持溝４１、４２は、
ポンプホイール３８がポンプを駆動する方向に回転したとき、プーリ３１、３２を外周側に移動させて回転中心から一定の距離、つまりチューブ２２を押し潰してポンプとして機能させる最外端４１ａ、４２ａと、ポンプホイール３８が逆転したときにはプーリ３１、３２を中心軸方向に移動させてチューブ２２から引き離す最内端４１ｂ、４２ｂとを結ぶ経路として形成されている
【００１９】各プーリ支持溝４１、４２は、回転中心と最外端４１ａ、４２ａ及び最内端４１ｂ、４２ｂとを結ぶ角度θ２が、ポンプ作用を誘起させることなく、後述するクリーニング用ブレード６２の先端が記録ヘッド７のノズルプレート７ａから離れた位置（図８（ａ））と、ノズルプレート７ａに当接する位置（図８（ｂ））との間を移動できるようにクリーニング用ブレード６２を移動させる角度、この実施例では５６度に設定されている。」
　
（４）上記（１）ないし（３）からみて、引用例には、
「記録用紙の幅方向に移動するインクジェット式記録ヘッドを有し、印刷データに一致させてインク滴を記録用紙に噴射してドットを形成するインクジェット式記録装置であって、
　前記記録ヘッドを搭載したキャリッジと、前記記録ヘッドのノズル開口を封止するとともにノズル開口に吸引ポンプからの負圧を作用させる封止手段として機能するキャピンング手段と、前記キャッピング手段に負圧を供給する吸引ポンプであり、かつ回動中心を対称点とする２つのプーリでチューブを扱くチューブポンプが使用されているポンプユニットとを備え、
　前記ポンプユニットは、チューブ支持面２３との間で空間３４を形成するように固定されているチューブ２２と、該チューブの外形をほぼ半円形に規制するチューブ支持面２３を有するポンプフレーム２１と、駆動手段からの動力により回動するポンプホイール３８と、該ポンプホイールに回転可能に設けられ、吸引動作時には前記ポンプホイールの回転中心に対称に位置して前記フレーム内のチューブを扱く２つのプーリ３１、３２とから構成されており、
　前記ポンプホイール３８は、ポンプフレーム２１に対向する面に、チューブ２２を圧縮する２個のプーリ３１、３２の回転軸３１ａ、３２ａを支持するプーリ支持溝４１、４２を有しており、
　前記プーリ支持溝４１、４２は、ポンプホイール３８がポンプを駆動する方向に回転したとき、プーリ３１、３２を外周側に移動させて回転中心から一定の距離、つまりチューブ２２を押し潰してポンプとして機能させる最外端４１ａ、４２ａと、ポンプホイール３８が逆転したときにはプーリ３１、３２を中心軸方向に移動させてチューブ２２から引き離す最内端４１ｂ、４２ｂと、を結ぶ経路として形成されており、
　前記プーリは、前記プーリ支持溝４１、４２に移動可能に設けられているインクジェット式記録装置。」の発明（以下「引用発明」という。）が記載されているものと認められる。
　
３　対比
　本願発明と引用発明とを対比する。
（１）引用発明の「印刷データ」、「一致させて」、「インク滴」、「噴射」、「インクジェット式記録ヘッド」、「封止」、「『吸引ポンプ』であり、かつ『チューブポンプ』が使用されている『ポンプユニット』」、「記録ヘッドのノズル開口を封止するとともにノズル開口に吸引ポンプからの負圧を作用させる」、「キャピンング手段」、「インクジェット式記録装置」、「チューブの外形をほぼ半円形に規制するチューブ支持面２３」、「ポンプフレーム２１」、「駆動手段からの動力により回動するポンプホイール３８」、「『ポンプホイールに回転可能に設けられ』た『プーリ３１、３２』」及び「チューブ支持面２３との間で空間３４を形成するように固定されているチューブ２２」は、それぞれ、本願発明の「印刷データ」、「対応して」、「インク滴」、「吐出」、「インクジェット式記録ヘッド」、「封止」、「ポンプユニット」、「ポンプユニットからの負圧を受けて記録ヘッドよりインクを吸引する」、「キャッピング手段」、「インクジェット式記録装置」、「チューブの外形を円弧状に規制するチューブ支持面」、「ポンプフレーム」、「駆動手段からの駆動力によって回転するポンプホイール」、「ポンプホイールに支持されたローラ」及び「チューブ支持面に沿って配置されたチューブ」に相当する。
　
（２）引用発明において、前記プーリ支持溝４１、４２は、ポンプホイール３８がポンプを駆動する方向に回転したとき、プーリ３１、３２を外周側に移動させて回転中心から一定の距離、つまりチューブ２２を押し潰してポンプとして機能させる最外端４１ａ、４２ａと、ポンプホイール３８が逆転したときにはプーリ３１、３２を中心軸方向に移動させてチューブ２２から引き離す最内端４１ｂ、４２ｂと、を結ぶ経路として形成されており、前記プーリは、前記プーリ支持溝４１、４２に移動可能に設けられているから、引用発明の「ポンプホイールに支持されたローラ（プーリ３１、３２）」は、「ポンプホイールの回転軸心側の第１位置と回転軸心から離れた第２位置との間で移動可能となるように」ポンプホイールに支持されている点で、本願発明の「ポンプホイールに支持されたローラ」と一致するといえる。ここで、引用発明の「最外端４１ａ、４２ａ」及び「最内端４１ｂ、４２ｂ」が本願発明の「回転軸心から離れた第２位置」及び「回転軸心側の第１位置」に相当する。
　
（３）引用発明において、キャッピング手段に負圧を供給する吸引ポンプであり、かつ回動中心を対称点とする２つのプーリでチューブを扱くチューブポンプが使用されているポンプユニットは、チューブ支持面２３との間で空間３４を形成するように固定されているチューブ２２と、該チューブの外形をほぼ半円形に規制するチューブ支持面２３を有するポンプフレーム２１と、駆動手段からの動力により回動するポンプホイール３８と、該ポンプホイールに回転可能に設けられ、吸引動作時には前記ポンプホイールの回転中心に対称に位置して前記フレーム内のチューブを扱く２つのプーリ３１、３２とから構成されているから、引用発明の「ローラ（プーリ３１、３２）」は、「前記チューブに沿って転動することにより該チューブをしごいて変形させることでチューブポンプとしての作用がなされるように構成され」ていることが当業者に自明である。
　よって、引用発明の「ローラ（プーリ３１、３２）」と本願発明の「ローラ」とは「前記チューブに沿って転動することにより該チューブをしごいて変形させることでチューブポンプとしての作用がなされるように構成され」ている点で一致する。
　
（４）上記（１）ないし（３）からみて、本願発明と引用発明とは、
「印刷データに対応してインク滴を吐出するインクジェット式記録ヘッドと、前記記録ヘッドを封止すると共に、ポンプユニットからの負圧を受けて記録ヘッドよりインクを吸引するキャッピング手段とを備えたインクジェット式記録装置であって、
　前記ポンプユニットには、チューブの外形を円弧状に規制するチューブ支持面を有するポンプフレームと、駆動手段からの駆動力によって回転するポンプホイールと、前記ポンプホイールの回転軸心側の第１位置と回転軸心から離れた第２位置との間で移動可能となるようにポンプホイールに支持されたローラと、前記チューブ支持面に沿って配置されたチューブとが具備され、
　前記ローラが前記チューブに沿って転動することにより該チューブをしごいて変形させることでチューブポンプとしての作用がなされるように構成されているインクジェット式記録装置。」である点で一致し、
「本願発明では、『前記チューブの側壁には長手方向に線状のマ−キングが付され、該チューブがねじれた状態で前記ポンプフレームに組み付けられたかどうかを判別可能に構成されている』のに対して、引用発明ではそのように構成されていない点」（以下「相違点」という。）で相違する。
　
４　判断
　上記相違点について検討する。
（１）「ホースの表面に長手方向にラインの標示を付すことにより、ホースのねじれを目視により容易に判別できるようにして、ホースがねじられて取付けられることを防止する」ことは、本願の出願前に周知である（以下「周知技術」という。例．原査定で周知例として引用された実願昭５９−１００５５９号（実開昭６１−１６４８４号）のマイクロフィルム（１頁５〜６行、２頁１７行〜４頁６行及び第１図参照。第１図の記載から、ライン１８はホース１０の長手方向に付されていることが見てとれる。）、原査定で周知例として引用された実願昭６１−１２７２４５号（実開昭６３−３５８８６号）のマイクロフィルム（１頁５〜７行、１頁１５〜１７行、３頁１６行〜４頁１９行、５頁１０〜１７行、６頁４〜６行、第１図、第３図及び第５図参照。「長手方向に連続した着色部３８」、「ねじれが一目で分かる」、「装着」及び「回避」が、それぞれ「ラインの標示」、「ねじれを目視により容易に判別できる」、「取付」及び「防止」に相当する。））。
　
（２）また、「チューブがねじれているとねじれた部分が損傷する」ことはチューブポンプの技術分野において本願出願前に周知である（以下「周知事項」という。例．実願昭６３−６３２００号（実開平１−１６６７８６号）のマイクロフィルム（４頁１〜４行参照。）、特開平４−１１６２８１号公報（２頁左上欄３〜８行参照。）、実願平３−６７２８７号（実開平５−１２６８１号）のＣＤ−ＲＯＭ（３頁２１〜２２行）、実願平３−８６４６号（実開平６−１４４８２号）のＣＤ−ＲＯＭ（段落【０００４】参照。）、実願平３−８６４７号（実開平６−１２７８０号）のＣＤ−ＲＯＭ（段落【０００４】参照。））。
　
（３）上記（１）及び（２）からして、「チューブの外形を円弧状に規制するチューブ支持面を有するポンプフレームと、駆動手段からの駆動力によって回転するポンプホイールと、前記ポンプホイールの回転軸心側の第１位置と回転軸心から離れた第２位置との間で移動可能となるようにポンプホイールに支持されたローラと、前記チューブ支持面に沿って配置されたチューブとが具備され、前記ローラが前記チューブに沿って転動することにより該チューブをしごいて変形させることでチューブポンプとしての作用がなされるように構成されている」ポンプユニットを備えた引用発明において、取付けられたチューブがねじれたままになっていて該ねじれた部分が損傷することを防止するために、前記チューブの表面に長手方向にラインの標示を付してチューブのねじれを目視により容易に判別できるようにすることは、当業者が、周知技術及び周知事項に基づいて容易に想到し得た程度のことである。
　
（４）上記（３）における「ラインの標示」及び「前記チューブの表面に長手方向にラインの標示を付してチューブのねじれを目視により容易に判別できるように」したことは、それぞれ、本願発明の「線状のマ−キング」及び「前記チューブの側壁には長手方向に線状のマ−キングが付され、該チューブがねじれた状態で前記ポンプフレームに組み付けられたかどうかを判別可能に構成されている」ことに相当するから、上記（３）からして、引用発明において、上記相違点に係る本願発明の構成となすことは、当業者が、周知技術及び周知事項に基づいて容易になし得たことである。
　
（５）効果について
　本願発明の奏する効果は、引用発明の奏する効果、周知技術の奏する効果及び周知事項から当業者が予測できた程度のものである。
　
（６）まとめ
　したがって、本願発明は、当業者が、引用例に記載された発明、周知技術及び周知事項に基づいて容易に発明をすることができたものである。
　
５　むすび 
　以上のとおり、本願発明は、当業者が、引用例に記載された発明、周知技術及び周知事項に基づいて容易に発明をすることができたものであるから、特許法第２９条第２項の規定により特許を受けることができない。
　よって、結論のとおり審決する。